(57)【特許請求の範囲】
【請求項１】
商用電源から供給される交流電圧を直流電圧に変換する直流電源回路と、ガラスバルブ内に放電ガスが封入された無電極放電灯と、無電極放電灯に近接配置された誘導コイルと、直流電源回路の出力から高周波電流を発生して誘導コイルに供給する高周波電源回路と、誘導コイルと高周波電源回路のインピーダンスを整合させるマッチング回路とを備え、直流電源回路及び高周波電源回路を第１の金属ケースに収納するとともに、マッチング回路を第２の金属ケースに収納し、第１および第２の金属ケースにそれぞれ電気的に接続された導電体が外部導体の外周に設けられた２重シールド同軸ケーブルで高周波電源回路とマッチング回路との間を電気的に接続し、直流電源回路又は高周波電源回路の何れか一方と第１の金属ケースとの間をインピーダンス要素からなる第１のアース回路を介して電気的に接続するとともに、マッチング回路と第２の金属ケースとの間をインピーダンス要素からなる第２のアース回路を介して電気的に接続し、且つ、第１および第２の金属ケースを照明器具本体の内部に収納し、第１の金属ケースと照明器具本体とをアース線を介して電気的に接続し、第１の金属ケースの内部に上記アース線を挿通するための溝を設け、上記アース線は、第１の金属ケースとの間に浮遊容量が発生する程度に第１の金属ケースの内面に近接させて配置されたことを特徴とする無電極放電灯点灯装置。
【請求項２】
第２のアース回路を構成するインピーダンス要素は、第２の金属ケース内で誘導コイル寄りの位置に配置されたことを特徴とする請求項１記載の無電極放電灯点灯装置。
【請求項３】
第２のアース回路を構成するインピーダンス要素は、誘導コイルの一端と第２の金属ケースとの間に接続されたことを特徴とする請求項１記載の無電極放電灯点灯装置。
【請求項４】
第２のアース回路は、誘導コイルの両端間に接続された複数のインピーダンス要素の直列回路を有し、上記複数のインピーダンス要素の内の何れか２つの接続点と第２の金属ケースとの間を電気的に接続したことを特徴とする請求項１記載の無電極放電灯点灯装置。
【請求項５】
上記複数のインピーダンス要素の内の何れか２つの接続点と第２の金属ケースとの間をインピーダンス要素を介して電気的に接続したことを特徴とする請求項４記載の無電極放電灯点灯装置。
【請求項６】
上記第２のアース回路は、コンデンサおよびインダクタの直列回路を有することを特徴とする請求項１乃至５の何れかに記載の無電極放電灯点灯装置。
【発明の詳細な説明】
【０００１】
【発明の属する技術分野】
本発明は、無電極放電灯点灯装置に関するものである。
【０００２】
【従来の技術】
従来の無電極放電灯点灯装置の回路図を図１２（ａ）に示す。この無電極放電灯点灯装置は、商用電源１を整流平滑して所望の直流電圧を発生する降圧チョッパ回路からなる直流電源回路２と、透明または内面に蛍光体が塗布された球状のガラスバルブ内に不活性ガス、金属蒸気などの放電ガス（例えば水銀、希ガスなど）が封入された無電極放電灯５と、無電極放電灯５の外周に沿って近接配置された誘電コイル４と、直流電源回路２の出力から高周波電流を発生して誘導コイル４に供給するための発振器２５および増幅回路２６と、誘導コイル４および増幅回路２６のインピーダンス整合をとり反射を無くして無電極放電灯５に効率よく高周波電力を伝達するマッチング回路６とから構成される。ここに、発振回路２５および増幅回路２６から高周波電源回路３が構成され、誘導コイル４および無電極放電灯５から負荷回路８が構成される。
【０００３】
ここで、直流電源回路２と高周波電源回路３とマッチング回路６とは、導電性を有する金属ケース２７内に収納されている。直流電源回路２の入力端子間にはコンデンサＣ２１が接続され、直流電源回路２の一方の入力端子はコンデンサＣ２２を介して金属ケース２７に電気的に接続されている。また、高周波電源回路３の入力端子間にはコンデンサＣ２３，Ｃ２４の直列回路が接続され、コンデンサＣ２３，Ｃ２４の接続点はコンデンサＣ２５を介して金属ケース２７に電気的に接続されている。さらに、負荷回路８の一方の入力端子（すなわちマッチング回路６の出力端子）はコンデンサＣ２６を介して金属ケース２７に接続されている。ここに、インピーダンス要素としてのコンデンサＣ２１，Ｃ２２から第１のアース回路２８が構成され、インピーダンス要素としてのコンデンサＣ２３〜Ｃ２５から第２のアース回路２９が構成され、インピーダンス要素としてのコンデンサＣ２６から第３のアース回路３０が構成される。
【０００４】
図１２（ｂ）はこの無電極放電灯点灯装置の概略図を示しており、直流電源回路２で発生する低周波ノイズは、第１のアース回路２８と第２のアース回路２９とを介して金属ケース２７に流れ、図１２（ｂ）中に破線Ｃ，Ｃ′で示すように互いに打ち消し合うため、直流電源回路２で発生する低周波ノイズが低減される。
【０００５】
また高周波電源回路３や負荷回路８で発生する高周波ノイズは、第２のアース回路２９と第３のアース回路３０とを介して金属ケース２７に流れ、図１２（ｂ）中に破線Ｄ，Ｄ′で示すように互いに打ち消し合って低減されるため、高周波電源回路３や負荷回路８で発生して金属ケース２７の外部に漏れる高周波ノイズを低減することができる。
【０００６】
ここで、第２のアース回路２９のインピーダンスＺ２が、第１のアース回路２８のインピーダンスＺ１よりも小さく、且つ、第３のアース回路３０のインピーダンスＺ３よりも大きくなるように設計すれば（Ｚ１＞Ｚ２＞Ｚ３）、高周波電源回路３や負荷回路８で発生した高周波ノイズが直流電源回路２を伝わって、電源線１５に伝導しにくくなり、高周波ノイズをさらに低減できる（例えば特開平１０−１０６７７７号公報参照）。
【０００７】
【発明が解決しようとする課題】
上述のように、直流電源回路２や高周波電源回路３やマッチング回路６が１つの金属ケース２７内に収納されている場合は、各回路２，３，６の入力端および出力端を、第１〜第３のアース回路２８〜３０を介して金属ケース２７に電気的に接続することにより、低周波ノイズや高周波ノイズを低減することができるが、直流電源回路２および高周波電源回路３とマッチング回路６とが別々の金属ケースに収納されている場合、ノイズを十分に低減できない虞がある。
【０００８】
すなわち、図１３に示すように直流電源回路２および高周波電源回路３が第１の金属ケース９内に収納されるとともに、マッチング回路６が第２の金属ケース１０内に収納され、高周波電源回路３とマッチング回路６との間が同軸ケーブル３１を介して電気的に接続されており、直流電源回路２の一方の入力端子は第１のアース回路２８を介して第１の金属ケース９に電気的に接続され、マッチング回路６の一方の出力端子は第３のアース回路３０を介して第２の金属ケースに接続されている場合、第１の金属ケース９内で発生した高周波ノイズは、図１３中に破線Ｅ′で示すように第１のアース回路２８を介して第１の金属ケース９に流れるとともに、高周波電源回路３の出力側から第１の金属ケース９に帰還する径路（図１３中の破線Ｅ）と、同軸ケーブル３１を介して第２の金属ケース１０に伝達される径路（図１３中の破線Ｅ″）とで伝導される。同様に第２の金属ケース１０内で発生した高周波ノイズは、図１３中に破線Ｆ′で示すように第３のアース回路３０を介して第２の金属ケース１０に流れるとともに、高周波電源回路３の出力側から第２の金属ケース１０に帰還する径路（図１３中の破線Ｆ）と、同軸ケーブル３１を介して第１の金属ケース９に伝達される径路（図１３中の破線Ｆ″）とで伝導される。
【０００９】
ここで、第１の金属ケース９内においては、第２の金属ケース１０から伝達された径路Ｆ″で流れるノイズ成分が、第１の金属ケース９内で発生した破線Ｅ，Ｅ′に示す径路のノイズ成分と異なる場合、径路Ｆ″で流れるノイズと径路Ｅ，Ｅ′で流れるノイズとが互いに打ち消し合われずに、ノイズを大幅に低減することができず、外部にノイズが漏れる虞があった。また、第２の金属ケース９内においても、第１の金属ケース９から伝達された径路Ｅ″で流れるノイズ成分が、第２の金属ケース１０内で発生した破線Ｆ，Ｆ′に示す径路のノイズ成分と異なる場合、上述と同様に径路Ｅ″で流れるノイズと径路Ｆ，Ｆ′で流れるノイズとが互いに打ち消し合われずに、ノイズを大幅に低減することができず、外部にノイズが漏れる虞があった。
【００１０】
本発明は上記の点に鑑みて為されたものであり、その目的とするところは、外部に漏れるノイズを低減した無電極放電灯点灯装置を提供することにある。
【００１１】
【課題を解決するための手段】
上記目的を達成するために、請求項１の発明では、商用電源から供給される交流電圧を直流電圧に変換する直流電源回路と、ガラスバルブ内に放電ガスが封入された無電極放電灯と、無電極放電灯に近接配置された誘導コイルと、直流電源回路の出力から高周波電流を発生して誘導コイルに供給する高周波電源回路と、誘導コイルと高周波電源回路のインピーダンスを整合させるマッチング回路とを備え、直流電源回路及び高周波電源回路を第１の金属ケースに収納するとともに、マッチング回路を第２の金属ケースに収納し、第１および第２の金属ケースにそれぞれ電気的に接続された導電体が外部導体の外周に設けられた２重シールド同軸ケーブルで高周波電源回路とマッチング回路との間を電気的に接続し、直流電源回路又は高周波電源回路の何れか一方と第１の金属ケースとの間をインピーダンス要素からなる第１のアース回路を介して電気的に接続するとともに、マッチング回路と第２の金属ケースとの間をインピーダンス要素からなる第２のアース回路を介して電気的に接続し、且つ、第１および第２の金属ケースを照明器具本体の内部に収納し、第１の金属ケースと照明器具本体とをアース線を介して電気的に接続し、第１の金属ケースの内部に上記アース線を挿通するための溝を設け、上記アース線は、第１の金属ケースとの間に浮遊容量が発生する程度に第１の金属ケースの内面に近接させて配置されたことを特徴とし、２重シールド同軸ケーブルの外部導体と導電体との間には浮遊容量が同軸ケーブルの全範囲にわたって発生するので、第１および第２の金属ケース内で発生したノイズはこの浮遊容量を介してそれぞれ第１および第２の金属ケースに帰還し、第１の金属ケース内で発生したノイズが２重シールド同軸ケーブルを介して第２の金属ケースに伝達されたり、第２の金属ケース内で発生したノイズが２重シールド同軸ケーブルを介して第１の金属ケースに伝達されることはなく、したがって第１の金属ケース内で発生したノイズはこの浮遊容量を介して第１の金属ケースに流れるとともに、第１のアース回路を介して第１の金属ケースに流れるから、この２つの径路で第１の金属ケースに流れたノイズが互いに打ち消し合って低減され、且つ、第２の金属ケースで発生したノイズは上述の浮遊容量を介して第２の金属ケースに流れるとともに、第２のアース回路を介して第２の金属ケースに流れるから、この２つの径路で第２の金属ケースに流れたノイズが互いに打ち消し合って低減されるため、第１および第２の金属ケースから外部に漏れるノイズを低減できる。しかも、アース線は第１の金属ケースのケース内面に近接して配置されているので、アース線と第１の金属ケースとの間に浮遊容量を発生させることができ、第１の金属ケース内に収納されている直流電源回路や高周波電源回路から空間に放射されたノイズがアース線に伝搬されると、アース線に伝搬されたノイズが、アース線と第１の金属ケースとの間に発生した浮遊容量を介して第１の金属ケースに帰還されるから、第１の金属ケースの外部に漏れるノイズを更に低減することができる。そのうえ、アース線が溝内に挿通されるので、アース線をケース内面に確実に近接させて配線することができ、アース線と第１の金属ケースとの間に確実に浮遊容量を発生させることができる。
【００１２】
請求項２の発明では、請求項１の発明において、第２のアース回路を構成するインピーダンス要素は、第２の金属ケース内で誘導コイル寄りの位置に配置されたことを特徴とし、請求項３の発明では、第２のアース回路を構成するインピーダンス要素は、誘導コイルの一端と第２の金属ケースとの間に接続されたことを特徴とし、請求項１の発明と同様の作用を得ることができる。
【００１３】
請求項４の発明では、請求項１の発明において、第２のアース回路は、誘導コイルの両端間に接続された複数のインピーダンス要素の直列回路を有し、上記複数のインピーダンス要素の内の何れか２つの接続点と第２の金属ケースとの間を電気的に接続したことを特徴とし、請求項５の発明では、請求項４の発明において、上記複数のインピーダンス要素の内の何れか２つの接続点と第２の金属ケースとの間をインピーダンス要素を介して電気的に接続したことを特徴とし、請求項１の発明と同様の作用を得ることができる。
【００１４】
請求項６の発明では、請求項１乃至５の発明において、上記第２のアース回路は、コンデンサおよびインダクタの直列回路を有することを特徴とし、請求項１の発明と同様の作用を得ることができる。
【００１７】
【発明の実施の形態】
以下に本発明の実施の形態を図面を参照して説明する。
【００１８】
（基本構成）
本発明に係る無電極放電灯点灯装置の基本構成を図１の回路図に基づいて説明する。本回路は、商用電源１と、商用電源１から供給される交流電圧を直流電圧に変換する直流電源回路２と、透明または内部に蛍光体が塗布された球状のガラスバルブ内に不活性ガスや金属蒸気などの放電ガス（例えば水銀、希ガスなど）が封入された無電極放電灯５と、無電極放電灯５の外周に沿って近接配置された誘電コイル４と、直流電源回路１の出力を高周波電流に変換して誘導コイル４に供給する高周波電源回路３と、高周波電源回路３と誘導コイル４のインピーダンス整合をとり反射を無くして無電極放電灯５に効率良く高周波電力を伝達するコンデンサＣ３〜Ｃ５よりなるマッチング回路６とを備えている。
【００１９】
直流電源回路１は、入力フィルタＦと、入力フィルタＦを介して入力された商用電源１の交流電圧を整流する整流器ＤＢと、整流器ＤＢの出力電圧を平滑して電源電圧を昇圧した直流電圧を発生する昇圧チョッパ回路７とで構成される。
【００２０】
昇圧チョッパ回路７は、整流器ＤＢの直流出力端子間にインダクタＬ１を介して接続されたＭＯＳ型電界効果トランジスタよりなるスイッチング素子Ｑ１と、スイッチング素子Ｑ１の両端間にダイオードＤ１を介して接続された平滑コンデンサＣ１と、スイッチング素子Ｑ１のオンオフを制御する制御回路７ａとで構成され、制御回路７ａがスイッチング素子Ｑ１のオンデューティやスイッチング周波数を制御することにより、平滑コンデンサＣ１の両端間に所望の直流電圧を発生させることができる。
【００２１】
高周波電源回路３は、平滑コンデンサＣ１の両端間に接続されたＭＯＳ型電界効果トランジスタよりなるスイッチング素子Ｑ２，Ｑ３の直列回路と、所定周波数の信号を発生する発振回路３ａと、スイッチング素子Ｑ４および駆動トランスＴ１などからなり発振回路３ａの信号に応じてスイッチング素子Ｑ２，Ｑ３を交互にオンオフさせる駆動回路３ｂとを備えており、ローサイドのスイッチング素子Ｑ４と並列にインダクタＬ２およびコンデンサＣ５の直列回路を介して、マッチング回路６および誘導コイル４からなる負荷回路８が接続されている。高周波電源回路３では、直流電源回路２の出力電圧をスイッチング素子Ｑ２，Ｑ３でスイッチングすることにより高周波電流に変換し、マッチング回路６を介して誘導コイル４に印加しており、誘導コイル４に高周波電磁界を発生させて、無電極放電灯５を点灯させる。
【００２２】
ここで、直流電源回路２および高周波電源回路３とマッチング回路６とは別々の金属ケースに収納されている。すなわち、直流電源回路２および高周波電源回路３は第１の金属ケース９に収納され、マッチング回路６は第２の金属ケース１０に収納されており、高周波電源回路３とマッチング回路６との間は２重シールド同軸ケーブル１１により電気的に接続されている。ここに２重シールド同軸ケーブル１１とは、図２（ａ）（ｂ）に示すように、高周波電源回路３およびマッチング回路６の高電位側の端子にそれぞれ接続される中心導体１１ａと、高周波電源回路３およびマッチング回路６の低電位側の端子にそれぞれ接続される外部導体１１ｂとを有する同軸ケーブルの外周に、第１および第２の金属ケース９，１０にそれぞれ電気的に接続された導電体（アース線）１１ｃが設けられたようなケーブルのことをいう。なお、第１および第２の金属ケース９，１０はそれぞれ接地されている。
【００２３】
直流電源回路２およびマッチング回路６は、それぞれ、第１および第２のアース回路１２，１３を介して第１および第２の金属ケース９，１０に電気的に接続されている。第１のアース回路１２は、入力フィルタＦの入力端子間に接続されたインピーダンス要素としてのコンデンサＣ１０，Ｃ１１の直列回路と、コンデンサＣ１０，Ｃ１１の接続点と第１の金属ケース９との間に接続されたインピーダンス要素としてのコンデンサＣ１２から構成される。一方、第２のアース回路１３は、マッチング回路６の低電位側の出力端子および誘導コイル４の接続点と第２の金属ケース１０との間に接続されたインピーダンス要素としてのコンデンサＣ１３から構成される。而して、直流電源回路２や高周波電源回路３で発生した低周波ノイズや高周波ノイズは、図１に破線Ａで示すように第１のアース回路１２を介して第１の金属ケース９に流れるとともに、マッチング回路６で発生した高周波ノイズは、図１に破線Ｂで示すように第２のアース回路１３を介して第２の金属ケース１０に流れる。
【００２４】
ところで、同軸ケーブル１１としては、第１および第２の金属ケース９，１０にそれぞれ電気的に接続された導電体１１ｃが外周に設けられた二重シールドタイプのケーブルを用いているので、図２（ａ）（ｂ）に示すように中心導体１１ａおよび外部導体１１ｂと導電体１１ｃとの間にはそれぞれ浮遊容量Ｃ０が、同軸ケーブル１１の全長にわたって発生する。したがって、第１の金属ケース９で発生したノイズは、同軸ケーブル１１を介して第２の金属ケース１０側に流れることはなく、浮遊容量Ｃ０を介して図１に破線Ａ′で示す径路で第１の金属ケース９に帰還する。同様に、第２の金属ケース１０で発生したノイズは、同軸ケーブル１１を介して第１の金属ケース９側に流れることはなく、浮遊容量Ｃ０を介して図１に破線Ｂ′で示す径路で第２の金属ケース１０に帰還する。
【００２５】
而して、第１の金属ケース９においては、直流電源回路２および高周波電源回路３から第１のアース回路１２を介して第１の金属ケース９に流れたノイズと、同軸ケーブル１１の浮遊容量Ｃ０を介して第１の金属ケース９に帰還したノイズとが互いに打ち消し合って、ノイズを低減することができる。一方、第２の金属ケース１０においては、マッチング回路６から第２のアース回路１３を介して第２の金属ケース１０に流れたノイズと、同軸ケーブル１１の浮遊容量Ｃ０を介して第２の金属ケース１０に帰還したノイズとが互いに打ち消し合って、ノイズを低減することができる。ここで、第２のアース回路１３は誘導コイル４の近傍に配置するのが望ましく、第２のアース回路１３を誘導コイル４の近傍に配置することによって、マッチング回路４で発生するノイズをさらに低減することができる。
【００２６】
ところで、本回路では第２のアース回路１３を、マッチング回路６の低電位側の出力端子および誘導コイル４の接続点と、第２の金属ケース１０との間に接続されたコンデンサＣ１３から構成しているが、マッチング回路６の端子と第２の金属ケース１０との間の高周波インピーダンスを小さくするような構成であれば良く、図３に示すように、第２のアース回路１３を、マッチング回路６の高電位側の出力端子および誘導コイル４の接続点と、第２の金属ケース１０との間に接続されたコンデンサＣ１３’から構成しても良い。また、図４に示すように、第２のアース回路１３を、誘導コイル４の両端間に接続されたコンデンサＣ１４，Ｃ１５の直列回路から構成し、コンデンサＣ１４，Ｃ１５の接続点と第２の金属ケース１０とを電気的に接続するようにしても良いし、図５に示すように、第２のアース回路１３を、誘導コイル４の両端間に接続されたコンデンサＣ１４，Ｃ１５の直列回路と、コンデンサＣ１４，Ｃ１５の接続点と第２の金属ケース１０との間に接続されたコンデンサＣ１６とで構成するようにしても良い。さらに、図６に示すように、第２のアース回路１３を、誘導コイル４の両端間に接続されたコンデンサＣ１４，Ｃ１５の直列回路と、コンデンサＣ１４，Ｃ１５の接続点と第２の金属ケース１０との間に接続されたインダクタＬ３およびコンデンサＣ１６の直列回路とで構成するようにしても良い。
【００２７】
尚、図４および図５に示す第２のアース回路１３では、誘導コイル４の両端間にインピーダンス要素たるコンデンサＣ１４，Ｃ１５の直列回路を接続し、コンデンサＣ１４，Ｃ１５の接続点を第２の金属ケース１０に電気的に接続しているが、誘導コイル４の両端間に接続されるインピーダンス要素の個数を２個に限定する趣旨のものではなく、誘導コイル４の両端間に複数のインピーダンス要素の直列回路を接続し、複数のインピーダンス要素の内の何れか２個の接続点と第２の金属ケース１０との間を電気的に接続するようにしても良く、上述と同様にノイズの低減を図ることができる。
【００２８】
また、本回路では第１のアース回路１２を直流電源回路２の入力端子間に接続されたコンデンサＣ１０，Ｃ１１の直列回路と、コンデンサＣ１０，Ｃ１１の接続点と第１の金属ケース９との間に接続されたコンデンサＣ１２とで構成しているが、直流電源回路２および高周波電源回路３と第１の金属ケース９との間の高周波インピーダンスを小さくするような構成であれば、どのような構成でも良い。
【００２９】
（実施形態）
図７に本実施形態の無電極放電灯点灯装置の回路図を示し、図８にこの無電極放電灯点灯装置の要部分解斜視図を示す。なお、図７では回路を省略して図示しており、基本構成で説明した無電極放電灯点灯装置と共通する構成要素には、同一の符号を付してその説明を省略する。
【００３０】
本実施形態では、直流電源回路２および高周波電源回路３を収納した第１の金属ケース９と、マッチング回路６を収納した第２の金属ケース１０とを、導電材料から形成された照明器具本体１４の内部に収納している。ここで、第１の金属ケース９内に収納された直流電源回路２には電源線１５を介して商用電源１が供給されている。また、第１のアース回路１２および第１の金属ケース９の接続点はアース線１６を介して照明器具本体１４に電気的に接続されている。また、第２の金属ケース１０は照明器具本体１４とともに接地されている。
【００３１】
図８に示すように、第１の金属ケース９の内部には、直流電源回路２や高周波電源回路３や第１のアース回路１２を構成する回路素子が実装されたプリント基板１７が収納されており、プリント基板１７は固定ねじ１８を用いて第１の金属ケース９にねじ止めされている。
【００３２】
ここで、第１のアース回路１２および第１の金属ケース９の接続点と、照明器具本体１４との間を電気的に接続するアース線１６は、照明器具本体１４の内面に近接させて配線されている。このアース線１６が第１の金属ケース９の内面に近接して配線されていない場合、第１の金属ケース９内に収納されたプリント基板１７から空間に放射されたノイズがアース線１６に伝搬されると、電源線１５などを介して第１の金属ケース９の外部にノイズが伝達される虞があるが、本実施形態ではアース線１６を第１の金属ケース９の内面に近接させて配線しているので、第１の金属ケース９とアース線１６との間に浮遊容量が発生する。したがって、第１の金属ケース９内のプリント基板１７から空間に放射されてアース線１６に伝搬されたノイズは、第１の金属ケース９とアース線１６との間に発生した浮遊容量を介して第１の金属ケース９に帰還されることになり、第１の金属ケース９の外部に電源線１５などを介して伝達されるノイズや輻射ノイズを低減することができる。
【００３３】
ところで、本実施形態ではアース線１６が第１の金属ケース９の内面に近接して配線されているだけであるが、図９に示すように、第１の金属ケース９の内側面に、内側面に沿って走る挿通孔１９ａが設けられた筒部１９を第１の金属ケース９と一体に設け、この挿通孔１９ａ内にアース線１６を挿通するようにしても良い。このようにアース線１６は挿通孔１９ａ内に挿通されているので、アース線１６を第１の金属ケース９の内側面に確実に近接させて配線することができる。したがって、第１の金属ケース９とアース線１６との間に浮遊容量を確実に発生させることができ、第１の金属ケース９内のプリント基板１７から空間を伝搬してアース線１６に伝達されたノイズは、第１の金属ケース９とアース線１６との間に発生した浮遊容量を介して第１の金属ケース９に帰還されるから、第１の金属ケース９の外部に電源線１５などを介して伝達されるノイズや輻射ノイズを確実に低減することができる。ここに、挿通孔１９ａからアース線１６を挿通するための溝が構成される。
【００３４】
また、図１０（ａ）（ｂ）に示すように、第１の金属ケース９の内側面の近傍に、第１の金属ケース９の内側面と略平行な隔壁２０を第１の金属ケース９の底面から立設し、この隔壁２０と第１の金属ケース９の内側面との間に形成される溝２１にアース線１６を配線するようにしても良い。ここで、アース線１６は溝２１内に配線されるので、アース線１６を第１の金属ケース９の内側面に確実に近接させて配線することができる。したがって、第１の金属ケース９とアース線１６との間に浮遊容量を確実に発生させることができ、上述と同様に、第１の金属ケース９の外部に電源線１５などを介して伝達されるノイズや輻射ノイズを確実に低減することができる。
【００３５】
ところで、図９および図１０に示す無電極放電灯点灯装置では、第１の金属ケース９と一体に筒部１９や隔壁２０を設け、筒部１９の挿通孔１９ａや、第１の金属ケース９の内側面と隔壁２０との間の溝２１にアース線１６を配線しているが、図１１に示すように、溝２２ａが形成された断面略Ｕ字状の保持部材２２の両端部に、それぞれ、ねじ孔２３ａが形成された固定片２３，２３を突設し、この保持部材２２を固定ねじ２４，２４を用いて第１の金属ケース９の内側面に固定して、保持部材２２の溝２２ａ内にアース線１６を挿通するようにしても良く、アース線１６は溝２２ａ内に配線されているので、アース線１６を第１の金属ケース９の内側面に確実に近接させて配線することができる。而して、第１の金属ケース９とアース線１６との間に浮遊容量を確実に発生させることができ、上述と同様に、第１の金属ケース９の外部に電源線１５などを介して伝達されるノイズや輻射ノイズを確実に低減することができる。
【００３６】
【発明の効果】
上述のように請求項１の発明は、商用電源から供給される交流電圧を直流電圧に変換する直流電源回路と、ガラスバルブ内に放電ガスが封入された無電極放電灯と、無電極放電灯に近接配置された誘導コイルと、直流電源回路の出力から高周波電流を発生して誘導コイルに供給する高周波電源回路と、誘導コイルと高周波電源回路のインピーダンスを整合させるマッチング回路とを備え、直流電源回路及び高周波電源回路を第１の金属ケースに収納するとともに、マッチング回路を第２の金属ケースに収納し、第１および第２の金属ケースにそれぞれ電気的に接続された導電体が外部導体の外周に設けられた２重シールド同軸ケーブルで高周波電源回路とマッチング回路との間を電気的に接続し、直流電源回路又は高周波電源回路の何れか一方と第１の金属ケースとの間をインピーダンス要素からなる第１のアース回路を介して電気的に接続するとともに、マッチング回路と第２の金属ケースとの間をインピーダンス要素からなる第２のアース回路を介して電気的に接続し、且つ、第１および第２の金属ケースを照明器具本体の内部に収納し、第１の金属ケースと照明器具本体とをアース線を介して電気的に接続し、第１の金属ケースの内部に上記アース線を挿通するための溝を設け、上記アース線は、第１の金属ケースとの間に浮遊容量が発生する程度に第１の金属ケースの内面に近接させて配置されたことを特徴とし、２重シールド同軸ケーブルの外部導体と導電体との間には浮遊容量が同軸ケーブルの全範囲にわたって発生するので、第１および第２の金属ケース内で発生したノイズはこの浮遊容量を介してそれぞれ第１および第２の金属ケースに帰還し、第１の金属ケース内で発生したノイズが２重シールド同軸ケーブルを介して第２の金属ケースに伝達されたり、第２の金属ケース内で発生したノイズが２重シールド同軸ケーブルを介して第１の金属ケースに伝達されることはなく、したがって第１の金属ケース内で発生したノイズはこの浮遊容量を介して第１の金属ケースに流れるとともに、第１のアース回路を介して第１の金属ケースに流れるから、この２つの径路で第１の金属ケースに流れたノイズが互いに打ち消し合って低減され、且つ、第２の金属ケースで発生したノイズは上述の浮遊容量を介して第２の金属ケースに流れるとともに、第２のアース回路を介して第２の金属ケースに流れるから、この２つの径路で第２の金属ケースに流れたノイズが互いに打ち消し合って低減されるため、第１および第２の金属ケースから外部に漏れるノイズを低減できるという効果がある。しかも、アース線は第１の金属ケースのケース内面に近接して配置されているので、アース線と第１の金属ケースとの間に浮遊容量を発生させることができ、第１の金属ケース内に収納されている直流電源回路や高周波電源回路から空間に放射されたノイズがアース線に伝搬されると、アース線に伝搬されたノイズが、アース線と第１の金属ケースとの間に発生した浮遊容量を介して第１の金属ケースに帰還されるから、第１の金属ケースの外部に漏れるノイズを更に低減できるという効果がある。そのうえ、アース線が溝内に挿通されるので、アース線をケース内面に確実に近接させて配線することができ、アース線と第１の金属ケースとの間に確実に浮遊容量を発生させることができる。
【００３７】
請求項２の発明は、請求項１の発明において、第２のアース回路を構成するインピーダンス要素は、第２の金属ケース内で誘導コイル寄りの位置に配置されたことを特徴とし、請求項３の発明は、第２のアース回路を構成するインピーダンス要素は、誘導コイルの一端と第２の金属ケースとの間に接続されたことを特徴とし、請求項１の発明と同様の効果がある。
【００３８】
請求項４の発明は、請求項１の発明において、第２のアース回路は、誘導コイルの両端間に接続された複数のインピーダンス要素の直列回路を有し、上記複数のインピーダンス要素の内の何れか２つの接続点と第２の金属ケースとの間を電気的に接続したことを特徴とし、請求項５の発明は、請求項４の発明において、上記複数のインピーダンス要素の内の何れか２つの接続点と第２の金属ケースとの間をインピーダンス要素を介して電気的に接続したことを特徴とし、請求項１の発明と同様の効果がある。
【００３９】
請求項６の発明は、請求項１乃至５の発明において、上記第２のアース回路は、コンデンサおよびインダクタの直列回路を有することを特徴とし、請求項１の発明と同様の効果がある。
【図面の簡単な説明】
【図１】  無電極放電灯点灯装置の基本構成を示す回路図である。
【図２】（ａ）（ｂ）は同上に用いる２重シールド同軸ケーブルの説明図である。
【図３】  同上の別の無電極放電灯点灯装置を示す要部回路図である。
【図４】  同上のまた別の無電極放電灯点灯装置を示す要部回路図である。
【図５】  同上のさらに別の無電極放電灯点灯装置を示す要部回路図である。
【図６】  同上のまた更に別の無電極放電灯点灯装置を示す要部回路図である。
【図７】  無電極放電灯点灯装置の一実施形態を示す回路図である。
【図８】  同上の要部分解斜視図である。
【図９】  同上の別の無電極放電灯点灯装置を示す要部斜視図である。
【図１０】  同上のまた別の無電極放電灯点灯装置を示し、（ａ）は一部省略せる平面図、（ｂ）は要部斜視図である。
【図１１】  同上のさらに別の無電極放電灯点灯装置を示す要部斜視図である。
【図１２】（ａ）従来の無電極放電灯点灯装置を示す回路図である。
（ｂ）同上の概略図である。
【図１３】  同上の別の無電極放電灯点灯装置を示す回路図である。
【符号の説明】
１  商用電源
２  直流電源回路
３  高周波電源回路
４  誘導コイル
５  無電極放電灯
６  マッチング回路
９  第１の金属ケース
１０  第２の金属ケース
１１  ２重シールド同軸ケーブル
１１ｃ  導電体
【図１】
0003887976.tif 000002
【図２】
0003887976.tif 000003
【図３】
0003887976.tif 000004
【図４】
0003887976.tif 000005
【図５】
0003887976.tif 000006
【図６】
0003887976.tif 000007
【図７】
0003887976.tif 000008
【図８】
0003887976.tif 000009
【図９】
0003887976.tif 000010
【図１０】
0003887976.tif 000011
【図１１】
0003887976.tif 000012
【図１２】
0003887976.tif 000013
【図１３】
0003887976.tif 000014